(57)【要約】【課題】土壌を必要とせず、水蒸気で植栽することが出来、水源を確保し難い海岸でも植栽することが出来、人体に安全な作物を収穫することが出来る植栽装置を得る。【解決手段】容器１２の下底部に貯水可能な水流通層１３を形成する。水蒸気が上昇可能な植栽隙間１４が垂直方向に続く繊維によって構成された植栽資材１５を容器の上縁部に挿填して保持する。植栽資材と水流通層の間に水蒸気が充満可能な毛管現象遮断層１６を形成し、水蒸気で作物を栽培する。植栽資材には、単繊維繊度５０ｄｔｅｘ未満の細手繊維によって構成される総繊度２００ｄｔｅｘ以上１５０００ｄｔｅｘ未満のパイル３７を基布３６に植設したタフテッドファブリックを用いる。タフテッドファブリックは、基布３６の長さ方向を垂直方向に向け、基布と基布を向かい合わせに重ね合わせて使用する。その向かい合う基布と基布の間の植栽隙間を植栽部位２８とする。【選択図】図５
2014117163.tif 000002
【特許請求の範囲】
【請求項１】
周囲が非透湿性材料（１１）に囲まれた容器（１２）の下底部に貯水可能な水流通層（１３）が形成されており、
単繊維繊度５０ｄｔｅｘ未満の細手繊維に囲まれて垂直方向に続く植栽隙間（１４）によって植栽部位（２８）が構成されている植栽資材（１５）が、その植栽隙間（１４）を垂直方向に向けて、その容器（１２）の上縁部に挿填され、水流通層（１３）の上側に保持されており、
その上縁部の植栽資材（１５）と下底部の水流通層（１３）の間が、水蒸気が充満可能な毛管現象遮断層（１６）となっている根茎を水蒸気雰囲気に包み込む水蒸気植栽ユニット。
【請求項２】
植栽資材（１５）が、単繊維繊度５０ｄｔｅｘ未満の細手繊維によって構成される総繊度２００ｄｔｅｘ以上１５０００ｄｔｅｘ未満の多繊糸条をパイル糸（２５）としてパイル（３７）を基布（３６）に植設したタフテッドファブリックによって構成されており、
細手繊維に囲まれて垂直方向に続く植栽隙間（１４）が、基布の長さ方向を垂直方向に向けて向かい合わせたタフテッドファブリックの基布（３６）と基布（３６）の間に形成されており、
単繊維繊度５０ｄｔｅｘ未満の細手繊維によって構成されるパイル（３７）が、タフテッドファブリックの基布（３６）と基布（３６）の間の植栽隙間（１４）に介在している請求項１に記載の水蒸気植栽ユニット。
【請求項３】
タフテッドファブリックの基布（３６）に、部分的に裁断されてパイル面（２６）からバックステッチ面（２７）に向けて貫通した裁断隙間（４９）が形成されている請求項２に記載の水蒸気植栽ユニット。
【請求項４】
仕切材（２９）によって複数の区画（３０）に区切られる水槽（３５）を具備し、
その仕切材（２９）に区切られている区画（３０）に水蒸気植栽ユニット（３１）が嵌め込まれており、
その水蒸気植栽ユニット（３１）が、非透湿性材料（１１）によって形成された容器（１２）に植栽資材（１５）を挿填して構成され、
その容器（１２）の下底部に貯水可能な水流通層（１３）が形成されており、
植栽資材（１５）が、単繊維繊度５０ｄｔｅｘ未満の細手繊維に囲まれて垂直方向に続く植栽隙間（１４）を有し、
その植栽資材（１５）が、非透湿性材料（１１）によって形成された容器（１２）の上縁部に挿填されて水流通層（１３）の上側に保持されており、
植栽資材（１５）と水流通層（１３）の間が水蒸気が充満可能な毛管現象遮断層（１６）となっている植栽装置。
【発明の詳細な説明】
【技術分野】
【０００１】
本発明は、水蒸気によって植物の発芽、育苗、栽培を促し、水源として海水を利用することが出来る水蒸気植栽ユニットと植栽装置に関する。
【背景技術】
【０００２】
水流通層と毛管現象遮断層と栽培土壌層の順に積層した植栽装置は公知である（例えば、特許文献１，２参照）。
【０００３】
浮力枠体に取り付けられて浮島構造体とした熱可塑性樹脂製立体網状構造体の表面層に植栽することも公知である（例えば、特許文献３参照）。
【先行技術文献】
【特許文献】
【０００４】
【特許文献１】特開昭６１−０８５１２４（特許第１７６６３３９号）
【特許文献２】特開昭６１−０８８８２７（特許第１７５２５１８号）
【特許文献３】特開２００１−３３３６５４（特許第３４４９４７６号）
【発明の概要】
【発明が解決しようとする課題】
【０００５】
特許文献１と２に開示されている植栽装置は、水流通層の水が蒸発して栽培土壌層に吸湿保持され、栽培土壌層から植物の根に吸収される仕組みになっている。
しかし、土壌の中には人体に有害な成分も含まれている場合もある。
従って、特許文献１と２に開示されている植栽装置は、完全に人体に無害な野菜や穀物の植栽には不向きである。
そして、特許文献１と２には、海水を水源に利用する発想は認められない。
【０００６】
特許文献３に開示されている土壌を必要としない熱可塑性樹脂製立体網状構造体を使用した植栽装置では、根の成長を妨げる障害物が水中にないことから、根が徒に伸びるものの、植物の結ぶ果実が少なく、その結ぶ果実の含水率が高く、味わいのある果実は得られず、水源として海水を利用することは出来ない。
【０００７】
そこで本発明は、栽培土壌を必要とせず、収穫される果実が人体に無害であり、含水率が低く味わいのある果実を植栽することが出来、水源として海水を利用することが出来、従って、水源を確保し難い海岸や海上でも自由に植栽することが出来る水蒸気植栽ユニットと植栽装置を得ること目的とする。
【課題を解決するための手段】
【０００８】
本発明に係る水蒸気植栽ユニットは、
（１）  周囲が非透湿性材料１１に囲まれた容器１２の下底部に貯水可能な水流通層１３が形成されており、
（２）  単繊維繊度５０ｄｔｅｘ未満の細手繊維に囲まれて垂直方向に続く植栽隙間１４によって植栽部位２８が構成されている植栽資材１５が、その植栽隙間１４を垂直方向に向けて、その容器１２の上縁部に挿填され、水流通層１３の上側に保持されており、
（３）  その上縁部の植栽資材１５と下底部の水流通層１３の間が、水蒸気が充満可能な毛管現象遮断層１６となっており、植物の根茎を水蒸気雰囲気に包み込むように構成されていることを第１の特徴とする。
【０００９】
植栽資材１５の垂直方向に続く植栽隙間１４を構成している細手繊維には肥料成分を保持させることが出来る。
【００１０】
本発明に係る水蒸気植栽ユニットの第２の特徴は、上記第１の特徴に加えて、
（１）  植栽資材１５が、単繊維繊度５０ｄｔｅｘ未満の細手繊維によって構成される総繊度２００ｄｔｅｘ以上１５０００ｄｔｅｘ未満の多繊糸条をパイル糸２５としてパイル３７を基布３６に植設したタフテッドファブリックによって構成されており、
（２）  細手繊維に囲まれて垂直方向に続く植栽隙間１４が、基布３６の長さ方向を垂直方向に向けて向かい合わせたタフテッドファブリックの基布３６と基布３６の間に形成されており、
（３）  単繊維繊度５０ｄｔｅｘ未満の細手繊維によって構成されるパイル３７が、タフテッドファブリックの基布３６と基布３６の間の植栽隙間１４に介在している点にある。
【００１１】
パイル糸２５には、下撚を有する複数本の単糸３３・３４を引き揃え、その下撚の撚方向に逆向きの上撚を加え、それらの複数本の単糸３３・３４を合撚した合撚多繊糸条を適用することが望ましい。
【００１２】
本発明に係る水蒸気植栽ユニットの第３の特徴は、上記第２の特徴に加えて、タフテッドファブリックの基布３６に、部分的に裁断されてパイル面２６からバックステッチ面２７に向けて貫通した裁断隙間４９が形成されている点にある。
【００１３】
本発明に係る植栽装置は、
（１）  仕切材２９によって複数の区画３０に区切られる水槽３５を具備し、
（２）  仕切材２９に区切られている区画３０に水蒸気植栽ユニット３１が嵌め込まれており、
（３）  その水蒸気植栽ユニット３１が、非透湿性材料１１によって形成された容器１２に植栽資材１５を挿填して構成され、
（４）  その容器１２の下底部に貯水可能な水流通層１３が形成されており、
（５）  植栽資材１５が、単繊維繊度５０ｄｔｅｘ未満の細手繊維に囲まれて垂直方向に続く植栽隙間１４を有し、
（６）  その植栽資材１５が、非透湿性材料１１によって形成された容器１２の上縁部に挿填されて水流通層１３の上側に保持されており、
植栽資材１５と水流通層１３の間が水蒸気が充満可能な毛管現象遮断層１６となっていることを特徴とする。
【発明の効果】
【００１４】
本発明の水蒸気植栽ユニット３１は、図４、図５、図６および図９に図示するように、植栽部位２８である細手繊維に囲まれた植栽隙間１４を垂直方向に保持した植栽資材１５と毛管現象遮断層１６と水流通層１３が、非透湿性材料１１に囲まれた容器内（１２）で三層積層構造を形成し、植物の根茎を水蒸気雰囲気に包み込むように構成されている。
その水流通層１３から発生する水蒸気は、毛管現象遮断層１６に充満し、植栽資材１５に結露水として捕捉され、植物４２に吸収される。
水流通層１３の水は、毛管現象遮断層１６に遮断され、毛管現象による水流通層１３から植栽資材１５への水の移行が抑えられ、植栽資材１５の含水量は過剰にならない。
このため、植栽資材１５に植栽して得られる果実の含水率が抑えられ、新鮮で味わいのある果実が収穫される。
【００１５】
植栽資材１５には垂直方向に続く植栽隙間１４が形成されており、その植栽隙間１４に沿って水蒸気が上昇し易い。
その植栽隙間１４は、細手繊維に囲まれて垂直方向に続いている。
そして、植栽資材１５に使用するタフテッドファブリックの基布３６の長さ方向を垂直方向に向ける場合、図１と図３と図４と図５と図９に図示するように、基布３６に植設されているパイル３７は、横向きになる。
即ち、植栽隙間１４を囲んでいる細手繊維の長さ方向は、水平方向になる。
そのため、上昇する水蒸気は、植栽隙間１４を囲む細手繊維に捕捉され、結露水となって植栽資材１５に蓄えられる。
同時に、水蒸気を含む上昇気流は横向きに突き出ている細手繊維即ちパイル３７に攪拌され、上昇気流に含まれている酸素は、結露水と共に細手繊維に捕捉されて植栽資材１５に蓄えられる。
【００１６】
本発明の水蒸気植栽ユニット３１は、植物の根茎を水蒸気雰囲気に包み込むように構成されており、植物は、植栽資材１５に蓄えられた酸素と結露水を吸収して生長する。
従って、水流通層１３の水が塩分を含んだ海水であっても、植物が水流通層１３の海水に含まれる塩分を吸収することがなく、水流通層１３の水質によって植物の成長が損なわれることがなく、収穫される作物の品質が水流通層１３の水質に左右されない。
そのように、海水を使用することが出来、水源を確保するために苦労することなく、水源を確保し難い海岸や海上での植栽に好適である。
又、植物の根茎が水流通層１３に直接触れることがないように、水流通層１３と植栽資材１５の間が毛管現象遮断層１６によって遮断されており、水流通層１３の水が毛管現象によって植栽資材１５へと直接移行しないので、水蒸気が毛管現象遮断層１６に充満するように水流通層１３を加熱する場合でも植物が枯れる危険が回避される。
従って、本発明によると、水流通層１３の温度管理、および、植栽資材１５と毛管現象遮断層１６の湿度管理が楽になる。
【００１７】
タフテッドファブリックは、タフテッドカーペットとしても使用される嵩高な繊維構造物である。
市販されているパイルの長さが１０ｍｍのタフテッドカーペットのパイル層の１平方メートル当たりの質量（パイル目付け）は概して１０００ｇ／ｍ2 未満であることから理解されるように、パイル層内部の空隙率は８０％以上であり、パイル層は断熱性に富む。
このことは、図１に図示するように、隣り合うパイル３７・３７の間のパイル隙間３９や隣り合うバックステッチ２７・２７の間のバックステッチ隙間４０、パイル３７の内部で隣り合う単糸３３・３４の間の単糸隙間、それらの単糸３３・３４を構成している細手繊維と細手繊維の間の微細な繊維隙間など、大小様々な隙間がタフテッドファブリックに介在している事実によって容易に理解し得る。
そのようにパイル層内部の空隙率が高いので、タフテッドファブリックによって構成された植栽資材１５では、植物の根茎は、それらの隙間を伝って植栽資材内部に伸びる。
そして、植物の根茎は、植栽資材内部で酸素に触れ易く、植栽資材内部に蓄えられた結露水を吸収して成長する。
又、パイル層内部の空隙率が８０％以上のタフテッドファブリックは一種の断熱材でもあるので、水蒸気植栽ユニット３１の内部を恒温状態に保ち易く、酷暑の夏季にも植物が萎れることがなく、厳寒の冬期にも水流通層１３の凍結が回避される。
【００１８】
単繊維繊度５０ｄｔｅｘ未満の細手繊維によって構成される総繊度２００ｄｔｅｘ以上１５０００ｄｔｅｘ未満の多繊糸条をパイル糸２５として基布３６に植設して形成されるタフテッドファブリックは、カーペットに使用されているので容易に入手することが出来、本発明を経済的に実施することが出来る。
【００１９】
図４と図９に図示するように、根茎が成長する植栽隙間１４にはパイル３７が介在しているが、パイル層内には大小様々な隙間が介在しており、単繊維繊度５０ｄｔｅｘ未満の細手繊維によって構成されるパイル３７は押し倒されて嵩を縮め易い。
従って、根茎が成長して太さを増せば、根茎からの根圧を受けてパイル３７が押し倒される恰好になるので、根茎がパイル面２６から圧迫されて、植物４２の成長が妨げられるような不都合は生じない。
【００２０】
パイル糸２５の単繊維繊度５０ｄｔｅｘ未満であり、そのパイル糸２５の総繊度２００ｄｔｅｘ以上１５０００ｄｔｅｘ未満であれば、パイル糸２５は、比表面積が広く水分を蓄え易い嵩高なパイル３７を形成する。
特に、複数本の単糸３３・３４を合撚して構成されるパイル糸２５では、合撚することによってパイル糸２５を構成している細手繊維と細手繊維が密着し、その繊維隙間が狭くなるので、結露水が保持され易くなる。
【００２１】
パイル糸２５の総繊度が同じであっても、パイル糸２５の単繊維繊度が細かければ、その単繊維繊度に応じてパイル糸２５の比表面積が広くなる。
従って、結露水が植栽資材１５に蓄積され易くするためには、パイル糸２５の単繊維繊度を単繊維繊度が２０ｄｔｅｘ未満にすることが望ましい。
そのようにパイル糸２５の単繊維繊度を２０ｄｔｅｘ未満にする場合、パイル内部の繊維隙間が少なくなるとしても、タフテッドファブリックにはパイル隙間３９やバックステッチ隙間４０、パイル内部で隣り合う単糸３３・３４の間の単糸隙間があるので、根茎が圧迫されて成長し難くなることはない。
特に、図２に図示するように、タフテッドファブリックの基布３６を部分的に裁断し、パイル面２６からバックステッチ面２７に向けて貫通した裁断隙間４９を基布３６に設けた植栽資材１５では、その裁断隙間４９を貫通して根茎が成長するので、馬鈴薯や玉葱、大蒜、人参、鬱金、生姜等の根菜類の植栽も可能となる。
【００２２】
図８に図示するように、水槽３５を仕切材２９によって複数の区画３０に区切り、その仕切材２９に囲まれる水槽３５の区画内部（３０）のそれぞれに水蒸気植栽ユニット３１を嵌め込んだ本発明の植栽装置３２では、成長の遅い植物４２の植栽された水蒸気植栽ユニット３１を残し、商品として販売し得る所要の植物４２だけを容器１２と共に水槽３５から取り出して出荷することが出来る。
そのように、本発明の植栽装置３２を使用すると、植栽してから販売するまで、植物４２を合理的に管理することが出来る。
【００２３】
広大な水槽３５を構築することに格別な苦労は伴わない。従って、広大な水槽３５を構築し、仕切材２９に区切られる多数の区画３０に水蒸気植栽ユニット３１を嵌め込み、大規模植物工場プラントとして本発明を実施することが出来る。
その場合、水槽３５を台車に搭載し、区画３０への水蒸気植栽ユニット３１の嵌め込み工程や植栽資材１５への植物４２の植え付け工程から作物の収穫工程まで水槽３５を植物工場内で移動し、植物４２への日照時間や水蒸気植栽ユニット３１の温度、毛管現象遮断層１６の湿度、水流通層１３の水位等を自動的に管理することが出来る。
【図面の簡単な説明】
【００２４】
【図１】本発明に係る植栽資材の拡大斜視図である。
【図２】本発明に係る植栽資材の展開斜視図である。
【図３】本発明に係る植栽資材の一部切截斜視図である。
【図４】本発明に係る水蒸気植栽ユニットの断面図である。
【図５】本発明に係る水蒸気植栽ユニットの断面斜視図である。
【図６】本発明に係る水蒸気植栽ユニットの断面図である。
【図７】図６に図示する水蒸気植栽ユニットの組立斜視図である。
【図８】本発明に係る植栽装置の斜視図である。
【図９】図８に図示する植栽装置の要部拡大断面図である。
【発明を実施するための形態】
【００２５】
水蒸気植栽ユニット３１の容器１２の内面１７と植栽資材１５の外面１８の間に植栽資材１５を保持する保持部２０を設け、その緩衝材１９を介して植栽資材１５を容器１２の上縁部に保持することが出来る。
その保持部２０に緩衝材１９を適用する場合には、根茎が成長して太さを増しても、根茎が容器１２の中で圧迫されず、植物４２の成長が損なわれない。
【００２６】
植栽資材１５と水流通層１３の間には緩衝材２１を装填することが出来る。
その緩衝材２１は、植栽資材１５を水流通層１３の上側に支持する戴承層２２を構成する。
植栽資材１５と水流通層１３の間に緩衝材２１を装填すると、植栽資材１５は、毛管現象遮断層１６に押し込まれることがなく、空隙率が高く、植物が成長し易い嵩高な状態に維持される。
【００２７】
緩衝材１９・２１には、立体網状に交絡する熱可塑性合成繊維に熱融着性繊維が融着していて空隙率の高い合成繊維製立体網状構造体を適用するとよい。
緩衝材１９・２１に合成繊維製立体網状構造体を適用すると、水蒸気植栽ユニット３１の内部で空気が流通し易く、酸素が植栽資材１５に補給され易くなる。
【００２８】
本発明において、植栽資材１５と水流通層１３の間に毛管現象遮断層１６を設ける理由は、水流通層１３の水分が毛管現象によって植栽資材１５へと直接移動しないようにし、そうすることによって植物の根茎が過剰に水分を吸収して異常に膨潤しないように、水分を摂取する植物の水分摂取量を抑えるためである。
従って、植栽資材１５と水流通層１３の間に、緩衝材２１として合成繊維製立体網状構造体を装填するとしても、その合成繊維製立体網状構造体が水流通層１３から植栽資材１５への毛管現象を促すことがないように、その合成繊維製立体網状構造体（緩衝材２１）の空隙率を９５％以上にする。
【００２９】
植栽資材１５の垂直方向に続く植栽隙間１４を構成している細手繊維には、肥料成分を付与することが出来る。
植栽資材１５に肥料成分を付与しておくと、全く土壌を使用せずに植栽可能となる。
そのように、本発明によると、土壌を使用せずに植栽可能となるが、このことは、土壌の使用が、本発明の実施の妨げになることを意味しない。
植物の中には土壌菌を必須とする植物もあれば、植物の成長過程では土壌菌を必要とする時期もある。
その土壌菌を必須とする植物や土壌菌を必要とする時期には、土壌菌の培養に必要な土壌を植栽資材１５に付与することが出来る。
水蒸気植栽ユニットの容器１２において、植物は、水流通層１３から発生して植栽資材１５に蓄えられる水蒸気を吸収して生長する。
しかし、種蒔き時や移植時等の植栽開始時には、灌水して植栽資材１５を湿潤状態に調整する。
その灌水する理由は、植栽開始時の植栽資材１５は、水流通層１３から発生する水蒸気を蓄えておらず、又、種蒔き時には種子が発芽するまで、移植時には苗が根を降ろすまで、多量な水蒸気を必要とするからである。
従って、植物の成長過程の多量な水蒸気を必要とする一時期に植栽資材１５に灌水することがあっても、そのことは本発明の効用を損なうことにはならない。
【００３０】
水蒸気植栽ユニットの容器１２には、水流通層１３に給排水可能な流通口２３を設けるとよい。水蒸気植栽ユニット３１に流通口２３を設けておけば、その流通口２３を開けて水蒸気植栽ユニット３１を水槽３５に入れて植栽することが出来る。
水蒸気植栽ユニット３１を水槽３５から取り出して移動する場合、流通口２３に栓２４を嵌めて止栓すれば、水蒸気植栽ユニット３１の移動過程で植物４２が萎れることがなく、移動過程で植物４２の鮮度を保つことが出来る。
その流通口２３は、図４と図９に図示するように容器１２の側面に設けるほか、図６と図７に図示するように容器１２の底面に設けることも出来る。
【００３１】
三層積層構造を成す植栽資材１５と毛管現象遮断層１６と水流通層１３の各層の厚みや水蒸気植栽ユニット３１の容器１２の大きさ（容積）は、植栽する植物に種類によって適宜に設定される。その植栽資材１５と毛管現象遮断層１６の厚みが薄く、或いは、容器１２の容積が少なく、植物の根茎が毛管現象遮断層１６を突き抜けて水流通層１３に達したとしても、水流通層１３の水が塩分を含んだ海水でなければ、根茎が徒に水流通層１３の水を吸い上げるとしても植栽に格別に支障を来すことはない。植物の根茎が毛管現象遮断層１６を突き抜けて水流通層１３に達した場合には、水槽３５の水位を加減するか、或いは、流通口２３の栓２４を開閉して水流通層１３の水量を加減すれば済む。
【００３２】
タフテッドファブリックを使用した植栽資材１５の植栽隙間１４は、図３に図示するように、ロール巻きにされたタフテッドファブリックのパイル面２６とバックステッチ面２７の間に形成することが出来る。その植栽隙間１４は、図４と図５と図９に図示するように、向き合うパイル面２６とパイル面２６の間に形成することも出来る。
【００３３】
タフテッドファブリックをロール巻きする場合において、その中心部の植栽隙間１４を大きくする場合は、図６と図７に図示するように、その大きい植栽隙間１４に繊維集束体４３を挿填して発芽するまで種子が毛管現象遮断層１６に脱落することなく植栽隙間１４の上で支えられるようにする。
その場合、繊維集束体４３は、繊維４４を植栽隙間１４が続く垂直方向に揃えて集束する。そうすると、植物の根は、その繊維間（４４）の隙間に沿って成長する。
【００３４】
パイル糸２５の総繊度を２００ｄｔｅｘ以上にする理由は、総繊度が２００ｄｔｅｘ未満のパイル（３７）は押し倒され易く、植栽資材１５を空隙率が８０％以上の嵩高な状態に維持し難くなるためである。
パイル糸２５の総繊度を１５０００ｄｔｅｘ未満にする理由は、総繊度が１５０００ｄｔｅｘ以上のパイル糸２５は太すぎ、パイル３７を基布３６に植設し難くなり、パイル３７を基布３６に植設するためには格別なタフティングマシンが必要になるためである。
【００３５】
植栽資材１５に付与する肥料成分は、植栽資材１５の植栽隙間１４に挿填する繊維集束体４３にも付与することが出来る。肥料成分は、バインダーと共に繊維に付与することが出来る。化学繊維を植栽資材１５や繊維集束体４３に使用する場合は、その化学繊維の紡糸時に、その化学繊維の紡糸原料のポリマーに肥料成分を練り込むことも出来る。
【００３６】
タフテッドファブリックは、図５に図示するように、容器１２に架け渡した数本の支桿４１にパイル面２６を表向きにして引っ掛けて吊るすことも出来る。その場合は、支桿４１から吊り降ろされて向き合うパイル面２６とパイル面２６の間の支桿４１の長さ方向に続く垂直な植栽隙間１４に、支桿４１の長さ方向に沿って複数本の植物４２を挟み込むように植栽するとよい。そのように、支桿４１に吊るした植栽資材１５は、サラダ菜やレタスその他の野菜の植栽に好適である。
【００３７】
タフテッドファブリックのパイル層内部の空隙率は８０％以上であるが、植栽資材１５が、水流通層１３から発生する水蒸気を捕捉して蓄えて植物の根茎に供給し得るようにするためには、パイル層内部の空隙率を９５％以下、即ち、パイル層内部の空隙率を８０％以上９５％以下にする。植栽資材内部（１５）の空隙率を高めるためには、芯地の片面か表裏両面に繊維ウェブを積層してニードルパンチングを施し、芯地と繊維ウェブを一体化したニードルパンチング不織布をタフテッドファブリックの基布３８に使用するとよい。植栽資材１５の空隙率と保湿性を同時に高めるためには、水分が付着し易いアクリル繊維をパイル糸２５に使用するとよい。
【００３８】
パイル３７の比表面積を広くするためには、単繊維繊度が５ｄｔｅｘ未満の細手繊維を含む単繊維繊度が２０ｄｔｅｘ未満の細手繊維によってパイル糸２５を構成するよい。
その場合、パイル３７が押し潰されないようにし、タフテッドファブリックの嵩高な状態が維持されるようにする。そのためには、単繊維繊度が２０ｄｔｅｘ未満の細手繊維と単繊維繊度が２０ｄｔｅｘ以上の太手繊維をパイル糸２５に混用するとよい。
【００３９】
パイル糸２５は、紡績糸でもマルチフィラメント糸でもよく、又、紡績糸とマルチフィラメント糸との合撚糸、紡績糸とモノフィラメント糸との合撚糸、或いは、マルチフィラメント糸とモノフィラメント糸との合撚糸でもよい。
パイル３７の内部で隣り合う単糸３３・３４の間の単糸隙間、および、その単糸３３・３４を構成している細手繊維と細手繊維の間の微細な繊維隙間を増やし、パイル層内部の空隙率を９０％以上にするために、熱可塑性捲縮合成繊維をパイル糸２５に使用する。
【００４０】
容器１２の内面１７と植栽資材１５の外面１８の間や容器内の植栽資材１５と水流通層１３の間に挿填する緩衝材１９・２１には、熱融着性繊維が交絡する繊維に融着して不織布内部に網目が形成されている不織布のほか、気泡セルが網目が形成されていて通気性に富むポリウレタン樹脂その他の弾性樹脂の発泡体を使用することも出来る。
それらの緩衝材１９・２１に使用する不織布や発泡体は極軽量にし、その比重は通気性を確保する上でも０．１〜０．０１で概して０．０３前後にするとよい。
【００４１】
植栽資材１５を挿填する容器１２の挿填口４５には、流通過程における植栽資材１５を脱落を防ぎ水蒸気植栽ユニット３１の商品としての外観を整えるために、蓋を被せるとよい。その蓋は、図６と図７に図示するように、容器１２の挿填口４５の周縁を覆う縁取蓋４６と、その縁取蓋４６の中心部に設けた嵌合口４８に嵌合する内蓋４７との二重蓋にするとよい。そのように挿填口４５に被せる蓋を二重蓋にすると、必要に応じて縁取蓋４６を被せたまま内蓋４７だけを外し、植栽資材１５の周囲からの水蒸気を蒸発を防ぎつつ嵌合口４８の下に現れる植栽資材１５の中心部の植栽隙間１４に植栽することも可能となる。植栽資材１５を挿填する容器１２や縁取蓋４６や内蓋４７を構成する非透湿性材料１１は、ガラスでも金属でもプラスチックでもよい。
【００４２】
タフテッドファブリックの基布３６にパイル面２６からバックステッチ面２７に向けて貫通した裁断隙間４９を形成するためには、タフテッドファブリックのパイル糸２５や基布３６に熱可塑性合成繊維を使用し、バックステッチ面２７から基布３６に電熱で刃先が加熱されるヒートカッターを部分的に当て、図２に図示するように、基布３６を部分的に加熱し溶融して裁断するとよい。
【００４３】
裁断口（裁断隙間４９）での解れを防ぎ、植栽資材１５の仕上がりを綺麗にするためには、バックステッチ３６に平行にし、隣り合うバックステッチ３６とバックステッチ３６の間に露出している基布３６にヒートカッターを当て、その隣り合うバックステッチ３６とバックステッチ３６の間で基布３６を裁断する。
そのようにすると、バックステッチ３６を裁断せずに済む。
【産業上の利用可能性】
【００４４】
単繊維繊度５０ｄｔｅｘ未満の細手繊維によって構成される総繊度２００ｄｔｅｘ以上１５０００ｄｔｅｘ未満の多繊糸条をパイル糸２５として基布３６に植設して形成されるタフテッドファブリックは、カーペットに広く使用されている。
従って、本発明は、使用後のタフテッドカーペットの廃棄処理を兼ねて実施することも出来る。本発明の植栽資材１５に使用されるタフテッドファブリックには格別な美観は要求されない。従って、特に、大規模植物工場プラントにおいて、使用後のタフテッドカーペットの廃棄処理を兼ねて本発明を実施するとしても何ら不都合は生じない。
【符号の説明】
【００４５】
１１：非透湿性材料
１２：容器
１３：水流通層
１４：植栽隙間
１５：植栽資材
１６：毛管現象遮断層
１７：内面
１８：外面
１９：緩衝材
２０：保持部
２１：緩衝材
２２：戴承層
２３：流通口
２４：栓
２５：パイル糸
２６：パイル面
２７：バックステッチ面
２９：仕切材
２９：区画
３１：水蒸気植栽ユニット
３２：植栽装置
３３：単糸
３４：単糸
３５：水槽
３６：バックステッチ
３７：パイル
３８：基布
３９：パイル隙間
４０：バックステッチ隙間
４１：支桿
４２：植物
４３：繊維集束体
４４：繊維
４５：挿填口
４６：縁取蓋
４７：内蓋
４８：嵌合口
４９：裁断隙間
【図１】
2014117163.tif 000003
【図２】
2014117163.tif 000004
【図３】
2014117163.tif 000005
【図４】
2014117163.tif 000006
【図５】
2014117163.tif 000007
【図６】
2014117163.tif 000008
【図７】
2014117163.tif 000009
【図８】
2014117163.tif 000010
【図９】
2014117163.tif 000011